(57)【特許請求の範囲】
【請求項１】
ファクシミリ通信手段と、インターネットファクシミリ通信手段、とを備えたファクシミリ装置において、
読取画像を９０°回転して送信することを設定するための手段と、
読取画像の送信宛先を入力するための手段とを設け、
前記設定がなされている際に、入力された送信宛先がファクシミリ番号であれば、ファクシミリ通信手段で読取画像を９０°回転して送信し、かつ入力された送信宛先がメールアドレスであれば、インターネットファクシミリ通信手段で、前記設定にかかわらず、読取画像を９０°回転させずに電子メールとして送信するようにしたことを特徴とする、ファクシミリ装置。
【請求項２】
前記ファクシミリ通信手段において、読取原稿の短辺が主走査方向の場合に、該読取画像を９０°回転することを特徴とする、請求項１のファクシミリ装置。
【請求項３】
画像読取手段と、ファクシミリ通信手段と、インターネットファクシミリ通信手段とを備えたファクシミリ装置を用いた、読取画像の送信方法において、
読取画像を９０°回転させて送信する旨の設定を受け付け、
読取画像の送信宛先の入力を受け付け、
該設定時に、入力された送信宛先がファクシミリ番号かメールアドレスかに基づいて、
送信宛先がファクシミリ番号の場合、読取原稿の短辺が主走査方向の場合に読取画像を９０°回転させてファクシミリ送信し、読取原稿の短辺が主走査方向以外の場合は読取画像を回転させずにファクシミリ送信し、
送信宛先がメールアドレスの場合、前記設定にかかわらず、読取画像を回転させずに電子メールとしてインターネットファクシミリ送信することを特徴とする、読取画像の送信方法。
【発明の詳細な説明】
【０００１】
【発明の利用分野】
この発明はインターネットファクシミリなどのファクシミリ装置、及びこれを用いた読取画像の送信方法に関する。
【０００２】
【従来技術】
インターネットファクシミリ装置では、電子メール形式でのインターネットファクシミリの送受信やＧ３ファクシミリの送受信が可能で、原稿画像を読取り、これをＧ３等のファクシミリデータとして、あるいは電子メールに添付して送信する。このようなファクシミリ装置において、原稿画像を読み取って送信する場合、読取りの主走査方向の用紙巾が例えばＡ４の短辺巾であれば、通常は、送信時にこれを９０°回転し、Ａ３巾として送信して横長の画像データとして送信する設定になっている。
【０００３】
【発明の課題】
この発明の課題は、ファクシミリ送信の場合は通信時間などを節約でき、電子メール送信の場合は受信側で見やすい画像を送信できるようにすることにある（請求項１〜３）。
【０００４】
【発明の構成】
この発明は、ファクシミリ通信手段と、インターネットファクシミリ通信手段、とを備えたファクシミリ装置において、
読取画像を９０°回転して送信することを設定するための手段と、読取画像の送信宛先を入力するための手段とを設け、前記設定がなされている際に、入力された送信宛先がファクシミリ番号であれば、ファクシミリ通信手段で読取画像を９０°回転して送信し、かつ入力された送信宛先がメールアドレスであれば、インターネットファクシミリ通信手段で、前記設定にかかわらず、読取画像を９０°回転させずに電子メールとして送信するようにしたことを特徴とする（請求項１）。
好ましくは、前記ファクシミリ通信手段において、読取原稿の短辺が主走査方向の場合に、該読取画像を９０°回転することを特徴とする（請求項２）。
【０００５】
またこの発明は、画像読取手段と、ファクシミリ通信手段と、インターネットファクシミリ通信手段とを備えたファクシミリ装置を用いた、読取画像の送信方法において、
読取画像を９０°回転させて送信する旨の設定を受け付け、読取画像の送信宛先の入力を受け付け、該設定時に、入力された送信宛先がファクシミリ番号かメールアドレスかに基づいて、送信宛先がファクシミリ番号の場合、読取原稿の短辺が主走査方向の場合に読取画像を９０°回転させてファクシミリ送信し、読取原稿の短辺が主走査方向以外の場合は読取画像を回転させずにファクシミリ送信し、送信宛先がメールアドレスの場合、前記設定にかかわらず、読取画像を回転させずに電子メールとしてインターネットファクシミリ送信することを特徴とする（請求項３）。
【０００６】
【発明の作用と効果】
この発明では、ファクシミリ装置の装置設定が、ファクシミリデータを９０°回転して送信する設定であっても、電子メール形式での送信時には、読取画像を回転させずにそのままの形で送信する。そのため、ファクシミリの場合は、通信時間や通信料金の節約ができると共に、電子メールでは受信側で見やすく、便利である（請求項１〜３）。
また、読取りの主走査方向の用紙の巾が短辺側であれば、ファクシミリデータ送信時に９０°回転することにより、出力側では出力用紙の長辺方向による出力ができるので（請求項２）、受信側にとって短時間に受信し、出力でき、便利である。
【０００７】
【実施例】
図１〜図５に、実施例を示す。図１に、実施例のインターネットファクシミリ装置１の使用環境を示す。２はＬＡＮで、３はメールサーバで、図ではインターネットファクシミリ装置1とは別体の装置として示すが、インターネットファクシミリ装置１がメールサーバ３を兼用しても良い。４〜６はパーソナルコンピュータなどの通信端末で、ＬＡＮ２の管理者の通信端末や、一般ユーザの通信端末である。
【０００８】
インターネットファクシミリ装置１は、公衆電話回線網などを介してＧ３ファクシミリ装置８に接続され、ルータ１０を介してインターネット１１に接続されている。Ｇ３ファクシミリ装置８は在来型のファクシミリ装置の例で、Ｇ４ファクシミリ装置などでもよい。またインターネット１１に接続された通信端末を、インターネットファクシミリ装置１からの送信先となる通信端末１２として示す。このようにインターネットファクシミリ装置１は、電子メール形式でインターネットファクシミリの送受信を行うと共に、公衆回線網を介して、Ｇ３ファクシミリ装置等に接続されている。
【０００９】
図２に、インターネットファクシミリ装置１の構成を示す。図において、２０は主制御部で、２２は網制御装置であり、２４はモデムで、網制御装置２２で公衆電話回線網などとの接続を確立し、モデム２４でファクシミリの送受信のための通信を行う。２６は画像メモリで、画像データとしてのファクシミリデータなどを記憶する。２８はＲＡＭで、作業中のデータなどを記憶し、３０は制御プログラム等を記憶したＲＯＭである。
【００１０】
３２は表示部で、ＬＥＤやＬＣＤディスプレイなどにより、ユーザに対する表示を行う。３４は操作部で、ユーザはキーボード等からメールアドレスやファクシミリ番号などの送信先アドレスなどを入力したり、ＬＣＤディスプレイのタッチパネルで操作の指示等を行う。３６は回転送信設定部で、例えばＬＣＤディスプレイ上のタッチパネル等から、原稿画像を９０°回転してのファクシミリ送信を行うことを設定するためのものである。通常は、読取原稿の９０°回転、送信はＯＮに設定されている。３８は読取部で、原稿画像を走査して画像データを読み取る。４０は用紙サイズ検出部で、原稿画像の読取り時等に、用紙のサイズを検出する。４２は記録部で、受信した画像や読取部３８で読み取った画像を、記録用紙にプリントする。
【００１１】
４４はＬＡＮインターフェースで、インターネットファクシミリ通信はＬＡＮインターフェース４４を用いて、例えば電子メール形式で行われる。またＬＡＮ２を介し、インターネットファクシミリ装置１は、図１でのパーソナルコンピュータ４〜６や、各種の端末４６等に接続され、ネットワークスキャナ、ネットワークプリンタとしても作用する。このためインターネットファクシミリ装置１は、ファクシミリ装置やコピー機として働くほかに、ネットワークプリンタや、ネットワークスキャナとしても作用する。
【００１２】
図３に、ファクシミリ送信する場合の、インターネットファクシミリ装置１での原稿画像の読取りと、送信画像の例を示す。受信側は、例えば図１でのＧ３ファクシミリ装置８である。インターネットファクシミリ装置１において、読取画像の回転設定がされているとする。読取り時に、プラテンガラス５０上のＡ４用紙の短辺が主走査方向にあれば、出力時にはこれを９０°回転して、主走査方向がＡ３短辺巾で、副走査方向がＡ４短辺巾の画像として送信し、受信側はＡ４画像として出力する。読取原稿の用紙がＡ４未満、すなわちＡ５やＢ５の場合、同様に９０°回転して、それぞれ主走査方向がＡ４巾やＢ４巾の画像として送信し、受信側でＡ５やＢ５サイズの画像として出力しても良い。なおＢ４やＡ３用紙の画像の場合は、回転設定がされていても、読取方向のまま送信する。
【００１３】
図４に、読取画像を電子メールで送信する場合の、インターネットファクシミリ装置１での原稿画像の読取りと、受信側での出力画像の例を示す。受信側は、例えば図１での、インターネット１１に接続された通信端末１２である。原稿の読取り時には、プラテンガラス５０上にＡ４サイズの原稿が、短辺方向が主走査方向になるように置かれている。インターネットファクシミリ装置１で、読取画像の回転設定がされている場合でも、電子メール形式で画像データを送信するときは、読取画像に回転処理せずに、電子メールのヘッダを付与して送信する。受信側では、受信メールの画像データをディスプレイ等に表示したり、ハードプリントすることができる。この時、原稿画像は回転されたものでなく、元の原稿と同一方向のものを見ることができる。
【００１４】
図５を用い、実施例の動作を説明する。ユーザによりインターネットファクシミリ装置の操作部から、読取原稿の送信先のメールアドレス、あるいはファクシミリ番号が入力される（ステップ１）。次に読取部で原稿画像を読取り（ステップ２）、読み込んだ画像データはＲＯＭ等に格納する。用紙サイズの検出は、読取り時、あるいは読取部への原稿のセット時に行われる。そして回転送信の設定がされていなければ（ステップ３）、読みとった画像データを回転せずにファクシミリ送信する。あるいは、送信先としてメールアドレスが入力されていればメールに添付してそのまま送信する（ステップ４）。
【００１５】
次に、原稿の主走査方向のサイズはＡ４サイズの短辺の巾か、あるいはそれ以下かをチェックする（ステップ５）。Ａ４サイズあるいはそれ以下のサイズの用紙で、短辺が主走査方向になるように用紙がセットされていれば、回転送信が可能である。Ａ４の短辺を越えるサイズの用紙であるときは、画像を回転させずにそのまま送信する（ステップ４）。
【００１６】
次に宛先にメールアドレスが入力され、電子メールによる送信を行う場合には（ステップ６）、回転送信の設定に関わらず、読取画像をメールのヘッダ等に添付して回転せずに、そのまま送信する（ステップ７）。送信先にファクシミリ番号が入力されていれば、原稿画像を９０°回転し、ファクシミリ送信する。このとき原稿画像を９０°回転すれば、Ａ４の長辺側がＡ３の巾方向に現れる画像として、ファクシミリ送信される（ステップ８）。
【００１７】
実施例よれば、原稿を９０°回転して送信する設定のインターネットファクシミリ装置であっても、送信がファクシミリ送信か電子メール送信かにより区別し、電子メールで送信する場合は、読取画像を回転させずにそのまま送信する。その結果、ファクシミリ送信では通信時間や通信料金の節約ができると共に、電子メールの受信者にとっては、見やすい形での原稿を受信することができる。
【図面の簡単な説明】
【図１】    実施例のインターネットファクシミリ装置の使用環境を示す図
【図２】    実施例のインターネットファクシミリ装置の構成を示すブロック図
【図３】    実施例での、読取画像をファクシミリ送信する場合の、原稿画像と送信画像とを示す図
【図４】    実施例での、読取画像を電子メールで送信する場合の、原稿画像と出力画像とを示す図
【図５】    実施例の動作を示すフローチャート
【符号の説明】
１            インターネットファクシミリ装置
２            ＬＡＮ
３            メールサーバ
４〜６        通信端末
８            Ｇ３ファクシミリ装置
１０          ルータ
１１          インターネット
１２          通信端末
２０          主制御部
２２          網制御部（ＮＣＵ）
２４          モデム
２６          画像メモリ
２８          ＲＡＭ
３０          ＲＯＭ
３２          表示部
３４          操作部
３６          回転送信設定部
３８          読取部
４０          用紙サイズ検出部
４２          記録部
４４          ＬＡＮインターフェース
４６          端末機
５０          プラテンガラス
【図１】
0003827152.tif 000002
【図２】
0003827152.tif 000003
【図３】
0003827152.tif 000004
【図４】
0003827152.tif 000005
【図５】
0003827152.tif 000006